(57)【要約】  本発明は、エンジンコア（２）と、エンジンコアの上に固定されたタンク（６）と、エンジンコアの下に固定された第１の伸展可能なノズルセクション（８ａ）とを備え、ノズル（４）はさらに、ノズルが伸展推進形態の時に互いから伸びた状態になる第２のセクション（８ｂ）および第３のセクション（８ｃ）を備える、スペースランチャの段（１）に関する。本発明によれば、段はさらに、ノズルセクションを一時的に支持する一時的支持構造体（１４）を備え、一時的支持構造体は、前記タンク（６）に取り付けられ、セクションが互いの中に挿入され、第３のセクション（８ｃ）が一時的支持構造体（１４）の下方支持部（１８）に当接した状態であるエンジンコアにアクセスできる形態にノズルを変化させるのに適している。
2015519242.tif 000002
【特許請求の範囲】
【請求項１】
倒立姿勢で、エンジンコア（２）と、エンジンコアの上に固定されたタンク（６）と、エンジンコアの下に固定された第１の伸展可能ノズルセクション（８ａ）とを備え、前記伸展可能ノズル（４）はさらに第２のセクション（８ｂ）を備え、第２のセクションは第３のセクション（８ｃ）と共に伸展を可能にする構造体（１０）によって支承され、前記第１、第２、および第３のノズルセクションは、ノズルが伸展推進形態の時に互いから伸びた状態になり、第２のセクション（８ｂ）は第１のセクション（８ａ）から伸び、第３のセクション（８ｃ）は第３のセクション（８ｃ）を支承する第２のセクション（８ｂ）から伸びる、スペースランチャ（１００）の段（１）であって、
前記段（１）はさらに、ノズルセクションを一時的に支持する一時的支持構造体（１４）を備え、一時的支持構造体（１４）は前記タンク（６）に取り付けられ、第１のセクション（８ａ）の少なくとも一部が第２のセクション（８ｂ）の中に入り込み、第２のセクション（８ｂ）の少なくとも一部が第３のセクション（８ｃ）の中に入り込み、その下端が前記一時的支持構造体（１４）の下方支持部（１８）に当接した状態であるエンジンコアにアクセスできる形態にノズル（４）を変化させるのに適することを特徴とする、段（１）。
【請求項２】
前記エンジンコアにアクセスできる形態では、前記第２のノズルセクション（８ｂ）の下端も同様に、前記温度支持構造体（１４）の下方支持部（１８）に当接することを特徴とする、請求項１に記載の段。
【請求項３】
前記エンジンコアにアクセスできる形態では、第２および第３のノズルセクション（８ｂ、８ｃ）それぞれの上端はエンジンコアに接続される第１のセクション（８ａ）の上端の高さもしくはそれより下に位置することを特徴とする、請求項１または請求項２に記載の段。
【請求項４】
前記一時的支持構造体（１４）が、下方支持部（１８）をタンク（６）に接続するロッド（１６）を備えることを特徴とする、請求項１から３のいずれか一項に記載の段。
【請求項５】
前記下方支持部（１８）が、リングの形状であることを特徴とする、請求項１から４のいずれか一項に記載の段。
【請求項６】
前記一時的支持構造体（１４）がさらに、エンジンコアにアクセスできる形態で第２および第３のノズルセクション（８ｂ、８ｃ）それぞれの上端より上に位置する上方支持部（２０）を備えることを特徴とする、請求項１から５のいずれか一項に記載の段。
【請求項７】
前記一時的支持構造体（１４）がさらに、上方および下方支持部（２０、１８）間の接続フレーム（２２、２４）を備え、このフレームは第３のセクション（８ｃ）の周囲に配置されることを特徴とする、請求項６に記載の段。
【請求項８】
前記一時的支持構造体（１４）がさらに、アクセスステップからの少なくとも１つの要素と工具収納部とを備えることを特徴とする、請求項１から７のいずれか一項に記載の段。
【請求項９】
請求項１から８のいずれか一項に記載の少なくとも１つの段（１）を備える、スペースランチャ（１００）。
【請求項１０】
主段（５０）と請求項１から８のいずれか一項に記載の上段（１）とを備えるスペースランチャ（１００）の製造方法であって、
ノズル（４）をエンジンコアにアクセスできる形態に変化させることにより上段（１）を形成するステップと、
ノズルがエンジンコアにアクセスできる形態で、前記上段（１）を発射台に輸送するステップと、
発射台において、ノズル（４）がエンジンコアにアクセスできる形態で、上段（１）を主段（５０）の上に取り付けるステップとを含む、製造方法。
【請求項１１】
発射の前に、
第２のセクション（８ｂ）がエンジンコア（２）の周囲に配置され、下端で前記第３のセクション（８ｃ）を支承する発射形態でノズル（４）を配置するステップと、
一時的支持構造体（１４）を取り外すステップとが行われる、請求項１０に記載のランチャの製造方法。
【発明の詳細な説明】
【技術分野】
【０００１】
本発明は、スペースランチャの分野に関する。
【０００２】
特に、本発明は、射出ノズルが伸展可能である上段に接続された主段を備えたスペースランチャに関する。
【背景技術】
【０００３】
Ａｒｉａｎｅ５のようなランチャでは、複数の推進システムが配設される。これは、まず、離陸段階に使用される２つの側方粉体推進装置からなり、これらが推進力のほぼ９０％を発生させる。これらの粉体推進装置が分離されてランチャが軽くなった後に、ランチャの主段のエンジンが地球大気圏を出るために機能を引き継ぐ。主段の予備燃料が消耗された後、主段は上段から分離され、ペイロードが軌道に乗るまで上段のエンジンが推進力を発生させる。
【０００４】
上段は、通常、タンクを備え、その下にエンジンコアが取り付けられ、さらに下方に向かって噴射ノズルが延びる。このノズルは、「末広ノズル」とも呼ばれ、液体水素と酸素を燃焼させることによって発生した水蒸気を高速で噴射させることによって推進力を発生させる。
【０００５】
したがって、ノズルは、ガスを加速させる上段の要素であり、燃焼室出口の要素である。真空中では、末広ノズルが長いほど、噴射ガスによって発生する推進力は大きくなる。したがって、できる限り長いノズルが想定される。しかしながら、ノズルが長いほど、ノズルのサイズが大きくなってしまう。これは、ランチャの全体質量が増加することを意味し、輸送されるペイロードの質量を増加することができるようにランチャを軽量化することを目的とした通常の原理に反する。
【０００６】
上述の問題を解決するために、ノズルの軸方向に沿って互いに対して移動するのに適した３つのノズルセクションを備えた伸展可能なノズルが提案されている。このようにして、これらのノズルセクションは、２つの最下部セクションが引き上げられた、いわゆる「再伸展」発射形態から、前記セクションが互いに一直線上に位置することで最大長のノズルを形成する伸展推進形態まで移動可能になる。
【０００７】
したがって、発射台では、発射の前に、ランチャの上段は、ノズルセクションの一部が収縮された発射形態で主段上に組み立てられる。このことにより、上段の長さを短くすることができ、ひいては、上段の全体質量およびランチャ全体の全体質量を低減することができるが、ノズルセクションの一部を上方位置で保持することで、前記ノズルセクションによって囲撓されているエンジンコアへのアクセスが妨げられる／複雑になる。
【０００８】
しかしながら、主段上に上段を設置した後に、発射の前に、上段エンジンの主コア部においていくつかの作業を行う必要がある。
【０００９】
これらの作業は、例えば、最終検査のような通常通りの作業からなるが、さらに、欠陥部品の交換のような通常通りでない作業からなる場合がある。
【００１０】
いずれにしても、それぞれの作業では、まずノズルセクションを下方位置に移動させてオペレータが作業する必要があるエンジンコアを露出させ、その後、これらのセクションを再び組み立ててノズルを発射形態に戻すように、最初上方位置で保持されているノズルセクションにおける作業が必要である。
【００１１】
これらのノズルセクションの操作により、ランチャを発射する前のランチャの使用サイクルの複雑さが大幅に増し、特に、これらのセクションが複合材料製であれば、これらのセクションが損傷するリスクが生じる。
【発明の概要】
【発明が解決しようとする課題】
【００１２】
本発明の目的は、先行技術の実施形態に対して、上述の欠点を少なくとも部分的に克服することである。
【課題を解決するための手段】
【００１３】
上述の目的を達成するために、本発明は、倒立姿勢で、エンジンコアと、エンジンコアの上に固定されたタンクと、エンジンコアの下に固定された第１の伸展可能ノズルセクションとを備え、前記伸展可能ノズルはさらに第２のセクションを備え、第２のセクションは第３のセクションと共に伸展を可能にする構造体によって支承され、前記第１、第２、および第３のノズルセクションは、ノズルが伸展推進形態の時に互いから伸びた状態になり、第２のセクションは第１のセクションから伸び、第３のセクションは第３のセクションを支承する第２のセクションから伸びる、スペースランチャの段に関する。
【００１４】
本発明によれば、前記段はさらに、ノズルセクションを一時的に支持する一時的支持構造体を備え、一時的支持構造体は、前記タンクに取り付けられ、第１のセクションの少なくとも一部が第２のセクションの中に入り込み、第２のセクションの少なくとも一部が第３のセクションの中に入り込み、第３のセクションの下端が前記一時支持構造体の下方支持部に当接した状態であるエンジンコアにアクセスできる形態にノズルを変化させるのに適している。
【００１５】
本発明は、架台に相当する一時的支持構造体を追加することにより、発射台において発射の前に必要な作業を行うことができるようにノズルをエンジンコアへのアクセスを可能にする形態に変化させて保持するための簡単で満足できる解決策が得られるという点が注目に値する。したがって、この作業は、非常に確実な方法で行うことができる。
【００１６】
このエンジンコアへのアクセスを可能にする形態は、さらに製造終了段階および発射台に段を輸送する際にも採用される。これらの条件下では、発射台において種々の段を組み立てた後、エンジンコアで作業をするオペレータは、前記コアにアクセスできるようにするためにノズルセクションにおける予備操作を行う必要がない。
【００１７】
さらに、本発明は、特に第３のセクションが一時的支持構造体の下方支持部で支承されることにより、エンジンコアへのアクセスを可能にする形態で高い機械的強度を有するノズルを提供する。この利点は、ノズルセクションを損傷するリスクを大幅に減らすことができるので、特に、ランチャを発射台へと輸送する段階でメリットがある。
【００１８】
最後に、一時的支持構造体は、オペレータがエンジンコア上で作業することができるようにするアクセスブリッジの機能を果たすことができる。したがって、オペレータは、構造体を使用して構造体の上を歩行し、および／または自身を構造体に固定して、事故のリスクを減らすことができる。
【００１９】
好ましくは、前記エンジンコアにアクセスできる形態では、前記第２のノズルセクションの下端も前記一時的支持構造体の下方支持部に当接するが、本発明の範囲から逸脱せずに、それ以外の構造も可能である。この特定の特徴の利点は、２つのセクションが一時的支持構造体の下方支持部で支承されるので、ノズルの機械的強度が増すという点にある。あるいは、第２のノズルセクションは、この下方支持部に当接せず、伸展を可能にする上述の構造体によって担持されるだけでよい。
【００２０】
好ましくは、前記エンジンコアにアクセスできる形態では、第２のノズルセクションおよび第３のノズルセクションそれぞれの上端がエンジンコアに接続される第１のセクションの上端の高さもしくはそれより下に位置する。そのことにより、エンジンコア内での必要な作業を行うためにエンジンコアへのアクセス性が非常に高くなる。
【００２１】
好ましくは、前記一時的支持構造体は、タンクに下方支持部を接続するロッドを備える。これらのロッドを使用することにより、温度支持構造体の全体質量は低い状態で維持され、適当なサイズとなる。エンジンコアで作業するのに必要なアクセスがオペレータにとって容易になるように、これらのロッド間の空間を容易に適応させることができる。さらに、ロッドは、手動でおよび／または安全ベルトを使用してオペレータ自身を固定するために、オペレータによって使用されてもよい。
【００２２】
好ましくは、前記下方支持部は、好ましくは、オペレータがその上を歩行することができるように設計されたリングの形状である。
【００２３】
好ましくは、前記一時的支持構造体はさらに、エンジンコアにアクセスできる形態で第２のノズルセクションおよび第３のノズルセクションそれぞれの上端より上に位置する上方支持部を備える。さらに、この上方支持部は、オペレータがその上を歩行することができると同時に、エンジンコア上で作業することができるように設計されるのが好ましい。
【００２４】
さらに、この上方支持部により、第２のセクションおよび第３のセクションの垂直方向上方への移動を制限することができる。このことは、ノズルセクションが一時的支持構造体によって優先的に軸方向および／または半径方向に保持される輸送時にメリットがある。
【００２５】
最後に、上方支持部により、その下に位置するセクションへの衝撃、例えば、工具の落下による衝撃などを抑えることができる。
【００２６】
好ましくは、前記一時的支持構造体はさらに、上方支持部と下方支持部との間の接続フレームを備え、このフレームは第３のセクションの周囲に配置される。
【００２７】
このフレームは、ノズルセクションを、特に衝撃から保護するのに役立つ。このフレームはさらに、下方支持部および上方支持部と同様に、輸送段階でノズルセクションを保持するのに使用されてもよい。
【００２８】
最後に、前記一時的支持構造体は、優先的に、アクセスステップからの少なくとも１つの要素と、工具収納部とをさらに備える。
【００２９】
本発明はさらに、上述の少なくとも１つの段であって、ランチャ主段に組み立てられる上段を優先的に形成する段を備えるスペースランチャに関する。
【００３０】
最後に、本発明は、主段と上述の上段とを備えるスペースランチャの製造方法であって、
ノズルをエンジンコアにアクセスできる形態に変化させることにより上段を形成するステップと、
ノズルがエンジンコアにアクセスできる形態で、前記上段を発射台に輸送するステップと、
発射台において、ノズルがエンジンコアにアクセスできる形態で、上段を主段の上に取り付けるステップとを含む方法に関する。
【００３１】
これらの条件下では、発射台において種々の段を組み立てた後、エンジンコアで作業をするオペレータは、エンジンコアにアクセスできるようにするためにノズルセクションで行う予備作業がなく、そこで必要な作業を行う。明らかに、優先的に、エンジンコアにアクセスできる形態は、作業が必要とされ／可能である段階を通して維持される。
【００３２】
好ましくは、その後、発射の前に、
第２のセクションがエンジンコアの周囲に配置され、その下端で前記第３のセクション支承する発射形態でノズルを配置するステップと、
一時的支持構造体を取り外すステップとが行われる。
【００３３】
本発明のさらに別の利点および特徴は、以下の非限定的な詳細な説明で明らかになるであろう。
【００３４】
以下の説明は、添付図面を参照しながら進める。
【図面の簡単な説明】
【００３５】
【図１】本発明の好適な一実施形態のランチャの段の一部で、ノズルが発射形態であるランチャ段の一部を示した概略正面図である。
【図１ａ】図１に示されているランチャ段の一部の斜視図である。
【図２】ノズルが伸展推進形態である図１のランチャ段の一部と同様の図である。
【図３】ノズルがエンジンコアにアクセスできる形態である図２のランチャ段の一部を異なる角度で示した斜視図である。
【図４】ノズルがエンジンコアにアクセスできる形態である図２のランチャ段の一部を異なる角度で示した斜視図である。
【図５】図３および図４に示されているランチャ段の一部の斜視図である。
【発明を実施するための形態】
【００３６】
図１、図１ａ、および図２を参照すると、本発明の好適な実施形態のスペースランチャの上段の一部が示されている。ランチャは、Ａｒｉａｎｅ５タイプのランチャである。
【００３７】
倒立姿勢で示されているランチャ段１は、特に燃焼室を含むエンジンコア２を備え、燃焼室では、液体水素と酸素とが反応して水蒸気を発生させ、水蒸気はエンジンコア２の下に位置するノズル４によって高速で噴射される。
【００３８】
水素と酸素はエンジンコア２の上に配置されたタンク６内に含まれ、エンジンコア２とタンク６の２つの要素は、図１、図１ａ、および図２に示されているように、円錐形のタンク底部を使用して機械的接合される。ランチャによって輸送されるペイロードは、タンク６より上方で、ランチャ上段上で支承される。
【００３９】
質量およびサイズを低減するために、ノズル４は伸展可能な形状である。ノズル４は、ノズルの軸方向９（垂直方向に対応する）に沿って互いに対して移動するのに適した３つのセクション８ａ、８ｂ、８ｃからなる。これらのセクションそれぞれは、まとまって末広ノズルを形成するように、略テーパ形状である。
【００４０】
図１および図１ａでは、ノズルは発射形態で示されているが、図２では、ノズルは伸展推進形態で示されている。これら２つの形態は、以下で詳細に説明するが、発射前に、ランチャの上段と主段とを分離した後のミッションの際に、発射台上でとられる形態である。
【００４１】
図１および図１ａに示されている発射形態では、第１のノズルセクション８ａはエンジンコア２の下端に固定される。また、この接続は、ノズルがとる形態に関係なく維持される。したがって、第１のセクション８ａは、エンジンコア２から下方に突出している。
【００４２】
それに対して、第２のセクション８ｂと第３のセクション８ｃは、ノズル４の軸方向長さを短くするのに適した上昇位置にある。より詳細には、第２のセクション８ｂは、その下端がほぼ第１のセクション８ａの上端の高さに位置するように引き上げられる。第２のセクション８ｂは、その軸方向移動を可能にする構造体１０によって支承される。この構造体１０は、当業者には周知であるが、垂直ラック１２を支持する桁を使用して第１のセクション８ａおよびタンク６および／またはエンジンコア２に固定され、第２のセクション８ｂは、垂直ラック１２に沿って摺動自在に電気的に制御される。
【００４３】
第３のセクション８ｃも同様に、上昇位置で保持されるが、第２のセクション８ｂによって支承される。より詳細には、これら２つのセクション８ｂ、８ｃは、伸展推進形態の場合と同じ相対位置をとることによって、互いから伸びた状態になる。第３のセクション８ｃの上端と第２のセクション８ｂの下端との間は、当業者に周知である可逆的な機械的接続、例えば、ロック機構タイプの接続が行われる。
【００４４】
このような発射台上でとられる発射形態では、第３のセクション８ｃは、ほぼ第１のセクション８ａの下端の位置にある。
【００４５】
第２のセクション８ｂは、引き上げられると、エンジンコア２の大部分を囲撓する。一方、図２に示されている伸展推進形態では、セクション８ｂおよび８ｃは、第１のセクション８ａの下端と一直線上に位置するように引き下げられて、最大長の末広ノズルとも呼ばれるテーパノズルが形成される。この引き下げは、ラック１２を使用して電気的に、かつ第３のセクション８ｃが第２のセクション８ｂにロックされた状態で行われる。
【００４６】
図３および図４では、ノズル４を第３の形態もしくはエンジンコアにアクセスできる形態に変化させることができるようにセクションを一時的に支持する構造体を備えた本発明の特定の態様の１つが示されている。
【００４７】
一時的支持構造体１４は、複数（例えば、４本）の垂直ロッド１６を備え、上端はタンク６の底部に固定される。エンジンコア２およびノズルセクション８ａ、８ｂ、８ｃの周囲に配置されるこれらのロッドはさらに、リング状下方支持部１８に固定的に支承する下端を有する。軸９を有するこのリング１８は、第３のセクション８ｃを支承し、第３のセクション８ｃの下端を支持するものである。優先的には、この第３のセクション８ｃの下端の全周囲とリング１８とが接触する。このようにして、この第３のセクション８ｃの全体質量はリング１８によって支承されている。
【００４８】
さらに、図３および図４に示されているように、同じことが第２のセクション８ｂにも言える。この場合、このセクション８ｂが常にラック１２に機械的に接続された状態であっても、その質量はリング１８によって完全にもしくはほぼ完全に支承される。
【００４９】
この特定の形態では、セクションは互いの中に入り込む。より詳細には、第１のセクション８ａの少なくとも一部が第２のセクション８ｂの中に入り込み、第２のセクション８ｂの少なくとも一部が第３のセクション８ｃの中に入り込む。さらにコンパクトにするために、図示されているように、３つのセクションは完全に重なり合って互いの中に挿入される、すなわち、それぞれのセクションの上端が実質的に同じ第１の高さになり、下端も実質的に同じ第２の高さになる。したがって、本発明の特定の形態では、短くなったノズルの長さは３つのノズルの１つのノズルの長さに等しくなる。上述したように、３つのセクション８ａ、８ｂ、８ｃは、軸９に沿って実質的に同じ長さであるので、図３および図４に示されるように、互いの中に挿入された時に最もコンパクトなサイズとなる。
【００５０】
一時的支持構造体１４はさらに、ロッド１６が横断することにより支承される上方支持部２０を備え、この支持部２０は下方リング１８と同じ形状である。このリングは第２のセクション８ｂおよび第３のセクション８ｃの上端を覆うが、任意で、これらのセクションの機械的支持力を増すために接触される。２つのリング１８、２０間に、例えば、２つのリングを接続する短い垂直ロッド２２の形の接続フレームと、長いロッド１６と共に前記ロッド２２を相互接続するリング２４とが配設される。
【００５１】
図示されていないが、アクセスステップおよび／または工具収納部がこの構造体１４の中に設けられてもよいが、オペレータはエンジンコア２上で作業を行うためにこの構造体上で歩行するおよび／または自身を固定することができ、セクション８ｂ、８ｃを引き下げることにより、エンジンコアの横からのアクセスが完全に自由になる。
【００５２】
実際に、この形態では、全てのセクション８ａ、８ｂ、８ｃがエンジンコア２の下に位置するので、発射台において通常通りの作業もしくは通常通りでない作業を行おうとするオペレータにとってはエンジンコア２全体がアクセスしやすくなる。
【００５３】
この形態は、上段１の製造終了段階でとられ、上段１を輸送する時にも発射台に維持される。このようにして、セクション８ａ、８ｂ、８ｃは、一時的支持構造体の１つまたは複数の要素によって、非常に満足のいく形で機械的に保持されることにより、これらのセクションが損傷するリスクを抑えることができる。
【００５４】
次に、上段１は、この形態を維持しながら、図５に部分的に示されるように、発射台でランチャ１００の主段５０の上に取り付けられる。この時、下方支持部１８は、主段５０のタンク５６に当接するもしくはタンク５６の少し上にあり、エンジンコア２はセクションによって露出される。
【００５５】
こうして、発射前の時間の間中、一時的支持構造体１４上を移動するオペレータにとって容易にアクセスできるエンジンコア２上で作業が行われる。伸展可能なノズル４が図１および図１ａに示されている発射形態に移動されるのは、図５に示されている段間の隙間がスカート部６０で封止される前だけである。そのためには、セクション８ｂはセクション８ｃとロックされるまでラックと共に移動されて、その後、一時的支持構造体１４が取り外されるのが好ましい。その後、スカート部６０が設置されてもよい。
【００５６】
優先的には、構造体全体は、オペレータが段と段との間にアクセスするための小さいサイズのフラップを介してアクセスできるように、十分に取り外し可能な構造体であることに留意されたい。
【００５７】
当然、単に非限定的な例として本明細書に示されている本発明に対して、当業者によって種々の修正が行われてもよい。
【図１】
2015519242.tif 000003
【図１ａ】
2015519242.tif 000004
【図２】
2015519242.tif 000005
【図３】
2015519242.tif 000006
【図４】
2015519242.tif 000007
【図５】
2015519242.tif 000008
【国際調査報告】
2015519242.tif 000009
2015519242.tif 000010
2015519242.tif 000011
2015519242.tif 000012